(57)【要約】【課題】本発明は、梱包容積の縮小化及び廃棄処分量の低減を可能とし、更に緩衝機能を十分に確保でき、且つ反復使用を促進し、安価な梱包手段を得ることのできる緩衝部材を提供することを目的としている。【解決手段】厚手の高反発性ウレタンフォーム層の内側に周辺枠及び低部を有する凹部を形成し、該凹部に柔軟性を有する材料よりなるプロファイル部をその凸部頂部が該高反発性ウレタンフォーム層の表面と面一となるように形成し、その表面側に薄手の低反発性ウレタンフォーム層を積層してなることを特徴とする緩衝部材。【選択図】図１
2006341855.tif 000002
【特許請求の範囲】
【請求項１】
厚手の高反発性ウレタンフォーム層の内側に周辺枠及び低部を有する凹部を形成し、該凹部に柔軟性を有する材料よりなるプロファイル部をその凸部頂部が該高反発性ウレタンフォーム層の表面と面一となるように形成し、その表面側に薄手の低反発性ウレタンフォーム層を積層してなることを特徴とする緩衝部材。
【請求項２】
請求項１に記載の緩衝部材の低反発性ウレタンフォーム層側に、該緩衝部材と同一構成の他の緩衝部材をその低反発性ウレタンフォーム層が対向するように配設し、該低反発性ウレタンフォーム層間を被梱包物の収納箇所としたことを特徴とする緩衝部材。
【発明の詳細な説明】
【技術分野】
【０００１】
本発明は、衝撃に弱い被梱包物を搬送する際、外部からの衝撃を吸収し、該被梱包物を保護することのできる緩衝部材に関する。
【背景技術】
【０００２】
例えば、パソコン等の電子機器類を搬送する場合、搬送時に衝撃力が加わることにより損傷するのを防止するため、該電子機器類を厚紙や発泡スチロール等の緩衝部材で囲んで段ボール箱に梱包するのが一般的であった。
【０００３】
また、下記文献のように、ポリウレタン系の樹脂よりなる衝撃吸収材を使用して被梱包物の形状にフィットするようにした収納容器も開発されている。
【特許文献１】特開２００２−２６２９１８号公報
【発明の開示】
【発明が解決しようとする課題】
【０００４】
しかし、上記従来の厚紙や発泡スチロールで電子機器類を梱包する場合、緩衝機能を確保するために厚紙や発泡スチロールを厚くしなければならず、それだけ電子機器に対する梱包容積が大きくなるとともに、使用後に不用となる廃棄処分量が増えるという問題があった。
【０００５】
また、上記ポリウレタン系の樹脂よりなる衝撃吸収材により被梱包物を収納する場合、低反発性フォームのみを利用しているので高価であり、且つ被梱包物を収納するには該低反発性フォームを大幅に圧縮させることが条件となり、緩衝部材の圧迫変形を伴なうものであった。
【０００６】
そこで近年、弾性を有する合成樹脂フィルムが貼設された一対のフレームを段ボール箱内に配置し、該フィルムの間で電子機器類を宙に浮かした状態でフィルムの張力により保持するようにした梱包部材が採用されている。この梱包部材によれば、電子機器類をフィルムで宙に浮かせた状態で保持するので、厚紙や発泡スチロールを使用する場合に比べて梱包容積の縮小化及び廃棄処分量の低減を可能とした。
【０００７】
ところが、上記合成樹脂製フィルムにより被梱包物を空中保持する構造を採用した場合には、衝撃力の入力方向によっては緩衝機能が十分に得られない場合が生じていた。特に、フィルム面と平行な方向から衝撃が加わった場合には被梱包物が箱体内で移動するおそれがあった。更に、該梱包部材を反復使用することが少なく、使用後に廃棄処分されることが多く、結果的に高価なものとなっていた。
【０００８】
本発明は、上記従来の状況に鑑みて創作されたもので、梱包容積の縮小化及び廃棄処分量の低減を可能とし、更に緩衝機能を十分に確保でき、且つ反復使用を促進し、安価な梱包手段を得ることのできる緩衝部材を提供することを目的としている。
【課題を解決するための手段】
【０００９】
本発明は上記目的を達成するため、厚手の高反発性ウレタンフォーム層の内側に周辺枠及び低部を有する凹部を形成し、該凹部に柔軟性を有する材料よりなるプロファイル部をその凸部頂部が該高反発性ウレタンフォーム層の表面と面一となるように形成し、その表面側に薄手の低反発性ウレタンフォーム層を積層してなる緩衝部材を特徴とする。
【００１０】
また、上記緩衝部材の低反発性ウレタンフォーム層側に、該緩衝部材と同一構成の他の緩衝部材をその低反発性ウレタンフォーム層が対向するように配設し、該低反発性ウレタンフォーム層間を被梱包物の収納箇所とした緩衝部材を特徴とする。
【発明の効果】
【００１１】
本発明の緩衝部材を使用して被梱包物を挟持収納することにより、該緩衝部材を内包した段ボール箱やその他の箱体に外部から衝撃が加わっても該被梱包物に対する衝撃の伝達を少なくすることができ、搬送中に被梱包物が損傷することがなくなった。
【００１２】
また、本発明の緩衝部材は、様々な外形形状の被梱包物を収納することができるので、汎用性が拡大すると同時に、段ボール箱や他の箱体のような収納容器とともに或いはそれら容器から分離して反復使用することを可能とした。
【００１３】
更に、被梱包物に接する側の緩衝部材を低反発性の材料とし、基盤となる側に柔軟性の材料よりなる凹凸のあるプロファイル部を形成したので、外部からの衝撃は外側の高反発性材料から該プロファイル部へ伝わり、その凸部頂部より該低反発性の材料を押圧することになり、該低反発性材料には部分的に押圧力が伝わることになり、衝撃力を分散することができ、ひいては被梱包物に伝わる衝撃を緩和することが可能となった。
【発明を実施するための最良の形態】
【００１４】
以下、本発明の実施の形態を図面に基づいて説明する。
【実施例】
【００１５】
図１は、本発明の緩衝部材の斜視図を示し、図２は同断面図を示している。
緩衝部材１は、高反発性ウレタンフォーム層２、該高反発性ウレタンフォーム層２の上に低反発性ウレタンフォーム層３が積層され、該高反発性ウレタンフォーム層２の内側には柔軟性を有する材料よりなるプロファイル部４を構成している。
【００１６】
上記高反発性ウレタンフォーム層２は、反発力の強いウレタンフォーム層で、強い押圧力が加わった場合に変形が生じることになる。
【００１７】
上記高反発性ウレタンフォーム層２は、５０〜１５０ｍｍの厚手のものを使用する。その内側は、周辺部５及び底部６を残した状態で収納する被梱包物の大きさより大きな表面側を開放した矩形状の凹部７を形成し、該凹部７にはプロファイル加工した柔軟性のあるプロファイル部４を配置している。該プロファイル部４は、その表面側に凹凸を形成し、該凸部４Ａの頂部は、高反発性ウレタンフォーム層２の表面と面一となるように形成し、底部側８は連続状態として底部６に密着形成或いは一体形成したものである。一例としてポリウレタンを発泡成形した発泡体をプロファイル加工したものである。
【００１８】
被梱包物により表面側が押圧されると凸部４Ａは圧縮される。最初に圧縮される凸部４Ａはバネ定数が低いので、それに伴ない凹部４Ｂへも圧縮が作用し、更に圧縮されると連続状態となっている底部側８も圧縮されることになる。その時点では該凸部４Ａのバネ定数は高くなる。
【００１９】
上記厚手の高反発性ウレタンフォーム層２及びプロファイル部４の上側には薄手の低反発性ウレタンフォーム層３を積層する。層厚としては５〜２０ｍｍのものを採用する。上記低反発性ウレタンフォーム層３は、変形量が大きいので、被梱包物の外形に沿って変形することができる。例えば、被梱包物の外形に突起が存在しても該突起の形状に合った状態で変形することが可能となる。
【００２０】
上記構成よりなる緩衝部材１上に、該低反発性のウレタンフォーム層３を対面させた状態で他の同積層構造の緩衝部材１´を重ねて配置する。図３に示すように、低反発性ウレタンフォーム層３、３´を対向して配置したその層間に被梱包物Ｗを配置する。
【００２１】
上記緩衝部材１、１´間に被梱包物Ｗを配置し、段ボール箱や他の箱体等の容器９内にまず下側の緩衝部材１を配置し、その後被梱包物Ｗ及び上側の緩衝部材１´と順次配置して収納し、蓋１０等により梱包すると、上方に位置する緩衝部材１´が押圧力Ｆの力で押圧され、その押圧力Ｆが被梱包物Ｗを介して下側の緩衝部材１に伝わり、押圧されることになる。なお、緩衝部材１、１´間に被梱包物Ｗを配置した状態で容器９内に収納することも可能である。
【００２２】
上記のように、容器９により上下の緩衝部材１、１´が拘束された状態で押圧力が作用する場合、まず柔らかい層である低反発性ウレタンフォーム層３、３´が変形し、同時に、変形量の大きなプロファイル部４、４´の凸部４Ａ、４Ａ´から凹部４Ｂ、４Ｂ´側及び底部側８が圧縮され、上記低反発性ウレタンフォーム層３、３´及びプロファイル部４、４´に底付き状態が生じたとき、高反発性ウレタンフォーム層２、２´が圧縮変形されることになる。
【００２３】
上記のように、被梱包物Ｗにより緩衝部材１、１´が変形すると、該被梱包物Ｗと接する低反発性ウレタンフォーム層３、３´は該被梱包物Ｗの外形に沿って変形することになる。また、プロファイル部４、４´は押圧され、その凸部４Ａ、４Ａ´は押しつぶされることになるが、その押しつぶされた凸部４Ａ、４Ａ´が該低反発性ウレタンフォーム層３、３´を押圧する状態となる。これにより該低反発性ウレタンフォーム層３、３´へは高反発性ウレタンフォーム層２、２´の反発力及びプロファイル部４、４´の反発力が、点状の部分的押圧力として伝わることになる。従って、被梱包物Ｗには常時生じている圧迫変形に伴なう反発力及び外部からの衝撃による高反発性ウレタンフォーム層２、２´に伝わる衝撃力が分散されて部分的に伝わることになり、被梱包物Ｗに対する衝撃ダメージを緩和することができる。
【図面の簡単な説明】
【００２４】
【図１】本発明の緩衝部材の斜視図。
【図２】本発明の緩衝部材の側断面図。
【図３】本発明の緩衝部材により被梱包物を収納した状態を示す側断面図。
【図４】本発明の緩衝部材により被梱包物を収納したものを容器に配置した状態を示す側断面図。
【符号の説明】
【００２５】
１          緩衝部材
２          高反発性ウレタンフォーム層
３          低反発性ウレタンフォーム層
４          プロファイル部
４Ａ        凸部
４Ｂ        凹部
５          周辺部
６          底部
７          凹部
８          底部側
９          容器
【図１】
2006341855.tif 000003
【図２】
2006341855.tif 000004
【図３】
2006341855.tif 000005
【図４】
2006341855.tif 000006